(57)【要約】【課題】炊飯器本体のコンパクト化、加熱量増加による食味向上などを同時に実現する炊飯器を提供することを目的とする。【解決手段】炊飯器本体１に着脱自在に収納される鍋２と、前記炊飯器本体１の上方開口部を開閉自在に覆う蓋体４と、前記蓋体４内に配設された操作基板部とを具備し、前記操作基板部は２枚の操作基板７，８を上下に分割して配置したものである。したがって、蓋体下部から上昇して来る熱を下側の操作基板８によって遮断し、上側の操作基板７上に搭載された基板部品を熱から保護することができ、炊飯器のコンパクト化や加熱量を高める自由度を確保し得るものである。【選択図】図１
2010022450.tif 000002
【特許請求の範囲】
【請求項１】
炊飯器本体に着脱自在に収納される鍋と、前記炊飯器本体の上方開口部を開閉自在に覆う蓋体と、前記蓋体内に配設された操作基板部とを具備し、前記操作基板部は２枚の操作基板を上下に分割して配置した炊飯器。
【請求項２】
上側操作基板は、下側操作基板よりも外形形状を小さく設定した請求項１記載の炊飯器。
【請求項３】
２枚の基板のうち、上側操作基板には耐熱性に劣る基板部品を配置してなる請求項１または２記載の炊飯器。
【請求項４】
組立の途中段階で、下側操作基板上に上側操作基板を重ねてセットできるように構成した請求項１〜３のいずれか１項記載の炊飯器。
【発明の詳細な説明】
【技術分野】
【０００１】
本発明は、一般家庭、あるいは業務用に使用する炊飯器に関するものである。
【背景技術】
【０００２】
従来の炊飯器にあって、操作性などを考慮して操作部や表示部を蓋体の上面部に設けており、また、それら操作部や表示部を配置するための操作基板を蓋体内の空間に収めているのが一般的であった。
【０００３】
そして、この操作基板は、蓋体内の上部に配置して炊飯中に発生する蒸気や熱の影響を可及的に受けないようにしていた（例えば、特許文献１参照）。
【特許文献１】特開平３−２１１７０号公報
【発明の開示】
【発明が解決しようとする課題】
【０００４】
しかしながら、前記従来の炊飯器では、炊飯器本体のコンパクト化を図る中において操作基板と鍋などの発熱源との隙間に余裕が取れない寸法関係になった場合、操作基板の熱的保護が不十分となり、寿命特性が低下する可能性があった。
【０００５】
また、操作基板の熱的保護を確実なものにしようとすると、発熱量も抑制される結果、炊飯性能の向上を図る上での障害となっていた。
【０００６】
本発明の炊飯器は、前記従来の課題を解決するもので、操作基板の熱的保護を合理的に行うことによって、炊飯器本体のコンパクト化を可能とし、加えて、加熱手段の高出力化によるご飯の食味の向上を実現したものである。
【課題を解決するための手段】
【０００７】
前記従来の課題を解決するために、本発明の炊飯器は、炊飯器本体に着脱自在に収納される鍋と、前記炊飯器本体の上方開口部を開閉自在に覆う蓋体と、前記蓋体内に配設された操作基板部とを具備し、前記操作基板部は２枚の操作基板を上下に分割して配置したものである。
【０００８】
したがって、耐熱性を考慮して操作基板部の配置を合理的に行うことができるものである。
【発明の効果】
【０００９】
本発明の炊飯器は、耐熱性を考慮して操作基板部の配置を合理的に行うことで、操作基板の熱による寿命への悪影響を防ぎながら炊飯器本体のコンパクト化を促進し、かつ加熱手段の加熱量を増やして食味を向上させることができるものである。
【発明を実施するための最良の形態】
【００１０】
第１の発明は、炊飯器本体に着脱自在に収納される鍋と、前記炊飯器本体の上方開口部を開閉自在に覆う蓋体と、前記蓋体内に配設された操作基板部とを具備し、前記操作基板部は２枚の操作基板を上下に分割して配置したものである。
【００１１】
これによって、蓋体下部から上昇して来る熱を、下側の操作基板によって遮断し、上側の操作基板上に搭載された基板部品を熱から守ることができ、炊飯器本体のコンパクト化や加熱量を高める自由度を確保し得るものである。
【００１２】
第２の発明は、前記第１の発明において、上側操作基板は、下側操作基板よりも外形形状を小さく設定したものである。
【００１３】
これによって、下側の操作基板は、上側の操作基板への熱の伝達経路を遮断することが可能となり、上側の操作基板への熱の伝達を抑えることができる。
【００１４】
第３の発明は、前記第１または第２の発明において、２枚の基板のうち、上側の基板には耐熱性に劣る基板部品を配置してものである。
【００１５】
これによって、耐熱性に劣る基板部品を熱から守り、基板部品の寿命を延ばすことができる。
【００１６】
第４の発明は、前記第１〜第３の発明のいずれか一つにおいて、組立の途中段階で、下側操作基板上に上側操作基板を重ねてセットできるように構成したものである。
【００１７】
これによって、２枚に分割された操作基板を簡単に組立てることができる。
【００１８】
以下本発明の実施の形態を図面を参照して説明する。なお、実施の形態が本発明を限定するものではない。
【００１９】
（実施の形態１）
図１は本発明の実施の形態１を示すもので、図面を簡潔にするために、電気的接続のためのリード線などは省略してある。
【００２０】
炊飯器本体１の内部に鍋２が着脱自在に設けられており、この鍋２の下方には鍋加熱手段３を配置している。なお、鍋加熱とは、この電磁誘導によりそのものが発熱するものも含むものである。
【００２１】
鍋炊飯器本体１の上部にはその上方開放部を開閉する蓋体４が配置してあり、また、蓋体４の下部には鍋２の上部開口部を覆う内蓋５が設けてある。
【００２２】
そして、前記内蓋５は蓋体４の内部に設けた蓋加熱手段６で加熱されるようにしてある。
【００２３】
蓋体４には、炊飯器を操作するための入力装置を備え、互いをリード線によって電気的に接続した上、下操作基板７，８が内設してある。
【００２４】
上側操作基板７の上方はアクリルなどの樹脂で構成された操作パネル９で覆われており、また、下側操作基板８の下方は基板カバー１０で覆われている。
【００２５】
前記操作パネル９と基板カバー１０は蒸気や水滴が通り抜けられないように、両面テープなどを介して密着して取付けられ、閉空間１１を構成している。
【００２６】
下側操作基板８は基板カバー１０の上面に配置された下支えリブ１２の上に載置されている。
【００２７】
下側操作基板８には、例えば抵抗等の耐熱性の高い部品や、液晶等のように足が長くて同下側操作基板８との隙間を大きく取ることができる部品が載置されている。
【００２８】
一方、上側操作基板７も下側操作基板８と同様、基板カバー１０に設けられた上支えリブ１３の上に載置されている。
【００２９】
そして、下側操作基板８と上側操作基板７をリード線などで接続した状態で基板カバー１０上にセットし、その上から操作パネル９をセットすれば、操作部の組立てが完了するものである。
【００３０】
上側操作基板７は下側操作基板８よりも外形形状が小さく設定してあり、したがって、上支えリブ１３で支持された上側操作基板７は下側操作基板８に対して部分的にオーバーラップする位置にある。
【００３１】
なお、下側操作基板８や上側操作基板７を固定するのに、操作パネル９から迎えのリブを突設することも考えられる。
【００３２】
上側操作基板７には、例えばマイコンや、コンセントを抜いたときのデータバックアップ用電池等の耐熱性に劣る部品が載置されている。
【００３３】
ここで、炊飯動作中に発生する熱の伝導について説明する。
【００３４】
炊飯を開始し、鍋加熱手段３によって鍋２への加熱を開始する。やがて、鍋２内の調理物が沸騰を開始すると、内蓋５は沸騰による蒸気で一気に温められ、約１００℃に達する。炊飯が進み、鍋２内の水分が米粒に吸収されてご飯になってくると、次はご飯を蒸らす工程に入る。
【００３５】
この蒸らし工程においては、高い温度を保つことによってご飯の糊化を促進し、ご飯粒表面に残った水分を飛ばすことが、香ばしさを出して美味しいご飯に仕上げる。
【００３６】
したがって、鍋２内が一杯になるほど多い量を炊飯する場合は、鍋加熱手段３から熱を与えただけでは、鍋２の底付近のご飯だけに過剰な加熱を与えてその底付近を焦がしたり、炊きムラが生じてしまうために、蓋加熱手段６からも加熱をすることでご飯全体を均一に加熱でき、さらに、内蓋５に付着した露を飛ばす役割も果たしている。
【００３７】
炊飯が終了してご飯を保温するとき、ご飯の温度を均一に保ち、内蓋５に露が付着しないよう蓋加熱手段６は必要最低限のレベルで加熱を継続する。
【００３８】
ところで、内蓋５、および蓋加熱手段６からの熱は、基板カバー１０を通り抜けて閉空間１１に入り込んでくる。
【００３９】
この熱は、まず基板カバー１０の上面から放射される放射熱によって下側操作基板８の下面を温め、その後、下側操作基板８と基板カバー１０との間の隙間から徐々に上側操作基板７付近へと熱が伝わっていくが、一方で操作パネル９が外気に接していることで温度上昇を抑えられるので、上側操作基板７とその上に実装された基板部品は、なかなか温度が上昇していかない。
【００４０】
炊飯が終了して保温に入ると、下側からの熱移動が次第に収まってくるため、上側操作基板７には、さほど熱が伝わってこないうちに蓋体４全体の温度が下がり、上側操作基板７上に実装された基板部品は炊飯による温度上昇から守られることになる。
【００４１】
また、基板が２枚重ねて配置されることによって、基板自体が断熱層の役割を果たすため、特に保温時において蓋体４からの熱の流出が抑えられ、少ない電力でご飯の温度を保
つ事も可能となる。
【００４２】
なお、本実施の形態では、蓋加熱手段による加熱を行っているが、蓋加熱手段を持たない構成の炊飯器においても、調理物が沸騰することによって蓋体全体が下側から加熱されることには変わりなく、基板部品の温度に対する効果は同じものとなる。
【００４３】
また、本実施の形態では、内蓋５と下側操作基板８との間に基板カバー１０を設置しているが、閉空間１１を基板カバー１０の代わりに内蓋５等で構成し、例えば操作パネル９に基板を固定するなどの固定手段が確保されていれば、必ずしも基板カバー１０が必要とされるものではない。
【産業上の利用可能性】
【００４４】
本発明に係わる炊飯器は耐熱性を考慮して操作基板部の配置を合理的に行うことで、操作基板の熱による寿命への悪影響を防ぎながら炊飯器本体のコンパクト化を促進し、かつ加熱手段の加熱量を増やして食味を向上させることができるもので、蓋体に操作基板を内設した他の加熱調理具への利用も可能である。
【図面の簡単な説明】
【００４５】
【図１】本発明の実施の形態１の炊飯器の一部を切欠した側面図
【図２】同炊飯器の要部拡大断面図
【符号の説明】
【００４６】
１  炊飯器本体
２  鍋
４  蓋体
７  上側操作基板
８  下側操作基板
【図１】
2010022450.tif 000003
【図２】
2010022450.tif 000004